(57)【特許請求の範囲】
【請求項１】
収納部を壁要素体と、囲み要素体とで囲んだ空間として形成して成り、
前記壁要素体、囲み要素体は共に透明素材で構成され、
且つ壁要素体における充実部はプリズム効果を発現するものであり、
前記壁要素体を構成する要素体本体は、壁高さ寸法となる一定厚みを有する板状の部材であって、その外周面を周面部とするものであり、
この要素体本体に平面視形状を同一または異ならせた複数の収納孔を上下に貫通した状態で形成するとともに収納孔相互を隔てる部位を充実部としたものであり、
壁要素体を上下から囲み要素体が囲んだ状態で、壁要素体における収納孔の上下の開放部が塞がれて、収納部を形成し、
プリズム効果によって収納孔の内壁全域から収納孔内に光が差し込んで収納部を光輝状態とし、収納孔に収納されたサンプルを全方向から照らすことができるように構成されていることを特徴とする観察適性を具えた容器。
【請求項２】
前記囲み要素体における底部囲み要素体は、壁要素体の外周縁を囲む周枠部を具えたトレー状であることを特徴とする請求項１記載の観察適性を具えた容器。
【請求項３】
前記底部囲み要素体の周枠部の高さ寸法は、壁要素体の厚み寸法より大きく設定され、一方、囲み要素体のうち上部囲み要素体の外周形状は、周枠部に内嵌めされる形状であることを特徴とする請求項２記載の観察適性を具えた容器。
【発明の詳細な説明】
【技術分野】
【０００１】
本発明は微細な標本、部品サンプル、更には生きた昆虫等の生物等を観察し易い状態で収納することができる観察適性を具えた容器に関するものである。
【背景技術】
【０００２】
例えば生きた状態の水生生物等を観察するには、従来、観察面付きの一定容積の箱状容器や、水槽更にはシャーレ等が用いられている（例えば特許文献１参照）。このような容器や水槽等は、捕獲した昆虫等が比較的自由に活動でき、その活動状態を観察する場合には適している。
一方で、昆虫等を写真撮影したり、体表面等の細部の構造等を入念に観察しようとする場合には、観察対象が活発に動き回っていることから不都合が多い。
しかしながら従来、このように動きが活発な昆虫等を活きたまま静止させて観察することに適した容器は多くない。
【先行技術文献】
【特許文献】
【０００３】
【特許文献１】特開２００７−５３９０１公報
【発明の概要】
【発明が解決しようとする課題】
【０００４】
本発明はこのような背景を考慮して成されたものであって、比較的小さな昆虫、水生生物等を対象として、それらを観察し易い状態で収納できる、新規な観察適性を具えた容器の開発を技術課題としたものである。
【課題を解決するための手段】
【０００５】
すなわち請求項１記載の観察適性を具えた容器は、  収納部を壁要素体と、囲み要素体とで囲んだ空間として形成して成り、前記壁要素体、囲み要素体は共に透明素材で構成され、且つ壁要素体における充実部はプリズム効果を発現するものであり、前記壁要素体を構成する要素体本体は、壁高さ寸法となる一定厚みを有する板状の部材であって、その外周面を周面部とするものであり、この要素体本体に平面視形状を同一または異ならせた複数の収納孔を上下に貫通した状態で形成するとともに収納孔相互を隔てる部位を充実部としたものであり、壁要素体を上下から囲み要素体が囲んだ状態で、壁要素体における収納孔の上下の開放部が塞がれて、収納部を形成し、プリズム効果によって収納孔の内壁全域から収納孔内に光が差し込んで収納部を光輝状態とし、収納孔に収納されたサンプルを全方向から照らすことができるように構成されていることを特徴として成るものである。
【０００６】
また請求項２記載の観察適性を具えた容器は、前記請求項１記載の要件に加え、前記囲み要素体における底部囲み要素体は、壁要素体の外周縁を囲む周枠部を具えたトレー状であることを特徴として成るものである。
【０００７】
更にまた請求項３記載の観察適性を具えた容器は、前記請求項２記載の要件に加え、前記底部囲み要素体の周枠部の高さ寸法は、壁要素体の厚み寸法より大きく設定され、一方、囲み要素体のうち上部囲み要素体の外周形状は、周枠部に内嵌めされる形状であることを特徴として成るものである。
そしてこれら各請求項記載の発明を手段として前記課題の解決が図られる。
【発明の効果】
【０００８】
まず請求項１記載の発明によれば、収納部をプリズム効果で光輝状態としサンプルを観察し易くすることができる。またサンプルが昆虫等の動きが激しい生きた生物であっても、狭い収納部を選択すれば、サンプルの動きを抑制した状態で静止観察・写真撮影をすることができる。
また、いくつかの収納部で種々のサンプルを適した収納部に収めて、比較観察することができる。
【０００９】
また請求項２記載の発明によれば、囲み要素体における底部囲み要素体はトレー状であり、水を受けることができ、水生生物も収納部に収納することができる。
【００１０】
また請求項３記載の発明によれば、上部囲み要素体は、底部囲み要素体の周枠部に内嵌めされるようにセットでき、収納部のシールド性を向上させた状態で観察することができる。
【図面の簡単な説明】
【００１１】
【図１】本発明の観察適性を具えた容器の使用状況を示す斜視図、分解斜視図である。
【図２】同上、平面図及び断面図である。
【図３】構成を異ならせた上部囲み要素体を示す斜視図並びに構成を異ならせた壁要素体及びこのものに載置される上部囲み要素体を示す平面図である。
【図４】壁要素体と囲み要素体とがその作用を兼用乃至は融合したような参考例を示す斜視図、正面図及び側面図である。
【発明を実施するための形態】
【００１２】
本発明の観察適性を具えた容器の最良の形態は以下に示すとおりであるが、この形態に対して本発明の技術的思想の範囲内において適宜変更を加えることも可能である。
【実施例】
【００１３】
図中符号１で示すものは本発明の観察適性を具えた容器（以下、容器１と称する。）であって、このものは全体形状としては一例として円盤状に構成されている。もちろんこのような平面視形状は、円盤状に限らず種々の形状が取り得ることは言うまでもない。
この容器１は、壁要素体２と囲み要素体３とにより構成されており、それぞれ壁要素体２と囲み要素体３は、透明のアクリル樹脂等により構成される。
【００１４】
まず壁要素体２は、全体形状を円盤状とした要素体本体２１から成り、蓮根断面と表現できる断面で種々の形状の収納孔２２を、複数、上下に貫通した状態で形成している。
この収納孔２２相互を隔てる部位を充実部２３とする。
また要素体本体２１の外周面を周面部２４とし、上面を上面部２５とし、下面を底面部２６とする。
なお前記収納孔２２の具体的な形状例としては、図２（ａ）、（ｂ）の平面図に示すような円形、楕円形、長楕円形等を適宜寸法を異ならせて複数形成することが、種々の昆虫の外形に馴染んだものを選択することができるため好ましいが、これ以外にも方形、矩形、三角形、台形等とすることもできる。
【００１５】
また前記充実部２３はプリズム効果を発現するものであり、ここでプリズム効果とは、周囲の空間とは屈折率の異なる樹脂、ガラス、水晶などの透明な媒質内において、光が分散・屈折・全反射・複屈折することを意味するものである。
【００１６】
一方、囲み要素体３は、底部囲み要素体３１と、これと別体の上部囲み要素体３２との二部材で構成される。
底部囲み要素体３１は、円形平板状の底面囲み部３１Ａと、その周縁に枠状に立ち上がり形成される周枠部３１Ｂとを具える。この周枠部３１Ｂの内径寸法は、前記壁要素体２の直径寸法より僅かに大きく設定されており、周枠部３１Ｂ内に壁要素体２が収納されるような組み合わせ形態を採る。
一方、上部囲み要素体３２は、平板状の円盤状部材であって、その直径寸法は前記底部囲み要素体３１の周枠部３１Ｂの内径寸法より僅かに小さく構成される。
【００１７】
そして前記底部囲み要素体３１の底面囲み部３１Ａの上面からの高さ寸法は、壁要素体２の厚さ寸法より僅かに高く設定されている。
具体的には、その高さ寸法の差は、上部囲み要素体３２の厚み寸法と略等しくする。
この結果、上部囲み要素体３２は、壁要素体２の上面部を覆った状態で、且つその周縁部は底部囲み要素体３１における周枠部３１Ｂの内側に内嵌め状態に組み合わされるような状態になっている。
そしてこのように壁要素体２を上下から囲み要素体３が囲んだ状態で、壁要素体２における収納孔２２は上下の開放部が塞がれ、ほぼ密閉した収納部５を出現させる。
【００１８】
このような状態で、上部囲み要素体３２を外して、上部から適宜のサンプルＳを収納孔２２に収納し、再び上部囲み要素体３２を被せることによりサンプルＳが収納部５内納された状態とする。
前記サンプルＳは、例えば機械部品であればそのまま収納して適宜観察する。
またサンプルＳが水生生物等の場合には、例えば囲み要素体３が、底面囲み部３１Ａの周縁に周枠部３１Ｂが形成されたようなトレー状の場合、水受け皿としての作用が期待できるから、ここに図２（ｃ）に示すように水Ｗを充填して、それぞれの収納部５（収納孔２２）に異なった水生生物等を収納して観察することができる。
【００１９】
そしてこれらのサンプルＳの観察にあたっては、壁要素体２における充実部２３が充分肉厚状態に形成されており、これによるプリズム効果によって収納孔２２の内壁２２ａ全域から収納孔２２内に光が差し込んで収納部５を光輝状態とし、サンプルＳを全方向から照らすため、サンプルＳの観察・写真撮影が行い易くなる。また収納部５の上面側の上部囲み要素体３２からも収納孔２２内に光が差し込むため、収納部５の光輝状態を増長することとなる。
【００２０】
もちろん観察にあたって、容器１の底面、周面あるいは上面等の周囲から、適宜観察のための照明を付設することも好ましい。特に容器１を、ボックス内に照明が内蔵されたスリガラス状の天板を有するライトボックス上に置いた場合には、底面囲み部３１Ａからも収納孔２２内に光が差し込むため、収納部５を更に光輝状態としサンプルＳの観察・写真撮影をよりいっそう行い易くすることができる。
【００２１】
またサンプルＳが例えば昆虫等の場合であって、飛翔しやすい昆虫の場合、複数の収納部５にサンプルＳを納めたとしても、他のサンプルＳの装填時に飛翔して逃げる場合も考えられることから、図３に示すように上部囲み要素体３２にサンプルＳ収納用の開口部３３およびその閉鎖手段を設けて、他の収納部５が開口状態とならないようにすることが好ましい。具体的には図３（ａ）に示すように、上部囲み要素体３２を円盤状とするとともに、その一部に細身の扇状等の開口部３３を形成し、その部位をシャッタ板３４で開閉自在に覆うようにする。このシャッタ板３４は、ピボット部３４Ｐにおいて回動自在に構成され、適宜開口部３３を閉鎖するように用いるものである。
【００２２】
また図３（ｂ）に示すように、上部囲み要素体３２を円盤状とするとともに、その一部に細身の扇状等の開口部３３を形成し、更に全体形状を円盤状とした壁要素体２の要素体本体２１における充実部２３の一部を、前記開口部３３よりも広範に形成するようにしてもよい。この場合、壁要素体２に載置される上部囲み要素体３２を回転させることにより、開口部３３直下の収納孔２２を開放状態として、サンプルＳの出し入れを可能とすることができる。このため上部囲み要素体３２を回転させながら、要素体本体２１に設けられた複数の収納孔２２に順次サンプルＳを収納してゆくことができる。そしてサンプルＳの収納後には、前記広範に形成された充実部２３の上部に開口部３３を位置させることにより、全ての収納孔２２を閉鎖した状態とすることができる。
【００２３】
また図３（ｃ）に示すように、周枠部３１Ｂの一部に開口部３３ａを形成し、更に要素体本体２１に形成される収納孔２２を、周面部２４側に開口した状態に形成するようにしてもよい。この場合、壁要素体２を、その上に設置される上部囲み要素体３２とともに回転させることにより、開口部３３ａと収納孔２２とを連通状態として、サンプルＳの出し入れを可能とすることができる。このため壁要素体２及び上部囲み要素体３２を回転させながら、要素体本体２１に設けられた複数の収納孔２２に順次サンプルＳを収納してゆくことができる。そしてサンプルＳの収納後には、充実部２３が広範に形成された周面部２４の部位に開口部３３ａを位置させることにより、全ての収納孔２２を閉鎖した状態とすることができる。
【００２４】
本発明の容器１は、以上述べた形態を好ましい実施の形態とするものであるが、更にこの技術思想の下に種々の展開が可能である。
例えば収納部５に関し、これをサンプルＳに応じて最適な容積とすることが可能である。即ち図４に示す本願発明に関連する参考例は、壁要素体２と囲み要素体３とがその作用を兼用乃至は融合したような形態であり、収納部５を形成するにあたり、底部囲み要素体３１と上部囲み要素体３２を形成する部材を角筒状に構成し、その開口部に対して例えば双方スライド自在に角柱状の壁要素体２を組み合わせているものである。結果的に壁要素体２は、収納部５の一部を構成するとともに、筒状要素体は上下の囲み要素体３の一部を構成するとともに、立壁面では壁要素体２の一部を周枠部３１Ｂとして機能させるものである。
このような形態の場合、サンプルＳの大きさにより、可動の壁要素体２の間隔を調節して、収納部５の容積を変えて用いることが好ましい。
【００２５】
更にまた他の実施例としては、より観察し易いように例えば図２（ａ）中、仮想線で示すように壁要素体２の一部に光ファイバー６等を配設して、外部からの光源で収納部５を積極的に照明するような形態を採り得る。
【符号の説明】
【００２６】
１      容器
２      壁要素体
２１    要素体本体
２２    収納孔
２２ａ  内壁
２３    充実部
２４    周面部
２５    上面部
２６    底面部
３      囲み要素体
３１    底部囲み要素体
３１Ａ  底面囲み部
３１Ｂ  周枠部
３２    上部囲み要素体
３３    開口部
３３ａ  開口部
３４    シャッタ板
３４Ｐ  ピボット部
５      収納部
６      光ファイバー
Ｓ      サンプル
Ｗ      水
【図１】
0006635776.tif 000002
【図２】
0006635776.tif 000003
【図３】
0006635776.tif 000004
【図４】
0006635776.tif 000005